(57)【要約】【課題】情報記録媒体の記録準備が完了していない場合であっても、より確実に情報記録媒体にデータを記録させることができる情報記録装置を提供する。【解決手段】ＨＤＤ内蔵ＤＶＤレコーダ１００において、ＤＶＤ８１と、第１の記録領域及びＤＶＤ８１に対する記録の指示に基づいて、ＤＶＤ８１における記録の準備が完了していない場合にのみ記録が行われる第２の記録領域を備えるハードディスク９１と、を備え、検出手段（ＣＰＵ１４２、検出プログラム１４５ｂ等）によりＤＶＤ８１おいて記録の準備が完了していないと検出された場合に、記録代替制御手段（ＣＰＵ１４２、記録代替制御プログラム１４５ｆ等）により、ハードディスク９１の第２の記録領域に対して記録を行う。【選択図】図１
2007133965.tif 000002
【特許請求の範囲】
【請求項１】
着脱可能な第１の情報記録媒体と、装置本体に内蔵された第２の情報記録媒体と、に対して映像及び／又は音声データを記録可能な情報記録装置において、
前記第１の情報記録媒体又は前記第２の情報記録媒体に対する映像及び／又は音声データの記録を予約する予約手段と、
前記予約手段により前記第１の情報記録媒体による記録が予約された記録開始所定時間前に、前記第１の情報記録媒体において記録の準備が完了しているか否かを検出する検出手段と、
前記検出手段により、前記第１の情報記録媒体において記録の準備が完了していないと検出された場合に、前記第１の情報記録媒体における記録の準備を行う記録準備手段と、
前記検出手段により、前記第１の情報記録媒体において記録の準備が完了していないと検出された場合に、映像及び／又は音声データを前記第２の情報記録媒体に記録させる制御を行う記録代替制御手段と、を備え、
前記第２の情報記録媒体は、第１の記録領域と、前記第１の情報記録媒体に対する記録の指示に基づいて、前記第１の情報記録媒体における記録の準備が完了していない場合にのみ記録が行われる第２の記録領域と、を備え、
前記記録代替制御手段は、
前記第１の記録領域において前記予約手段により予約された映像及び／又は音声データを記録するための空き容量があるか否かを検出する空き容量検出手段を備え、
前記記録代替制御手段は、
前記空き容量検出手段により、前記第１の記録領域において前記予約手段により予約された映像及び／又は音声データを記録する空き容量があると検出された場合に、前記第１の記録領域に対して前記予約手段により予約された映像及び／又は音声データの記録を行い、前記空き容量検出手段により、前記第１の記録領域において前記予約手段により予約された映像及び／又は音声データを記録するための空き容量が無いと検出された場合に、前記第２の記録領域に対して映像及び／又は音声データの記録を行い、前記記録準備手段により前記第１の情報記録媒体における記録の準備が完了した場合には、前記第２の記録領域に記録した映像及び／又は音声データを前記第１の情報記録媒体に転送することを特徴とする情報記録装置。
【請求項２】
着脱可能な第１の情報記録媒体と、装置本体に内蔵された第２の情報記録媒体と、に対して映像及び／又は音声データを記録可能な情報記録装置において、
前記第１の情報記録媒体又は前記第２の情報記録媒体に対する映像及び／又は音声データの記録を予約する予約手段と、
前記予約手段により前記第１の情報記録媒体による記録が予約された記録開始所定時間前に、前記第１の情報記録媒体において記録の準備が完了しているか否かを検出する検出手段と、
前記検出手段により、前記第１の情報記録媒体において記録の準備が完了していないと検出された場合に、前記第１の情報記録媒体における記録の準備を行う記録準備手段と、
前記検出手段により、前記第１の情報記録媒体において記録の準備が完了していないと検出された場合に、映像及び／又は音声データを前記第２の情報記録媒体に記録させる制御を行う記録代替制御手段と、を備え、
前記第２の情報記録媒体は、
第１の記録領域と、前記第１の情報記録媒体に対する記録の指示に基づいて、前記第１の情報記録媒体における記録の準備が完了していない場合にのみ記録が行われる第２の記録領域と、を備え、
記録代替制御手段は、前記第１の情報記録媒体に対する映像及び／又は音声データの記録開始時に、前記第１の情報記録媒体における記録の準備が完了していない場合に、前記第２の記録領域に対して映像及び／又は音声データの記録を行い、前記記録準備手段により前記第１の情報記録媒体における記録の準備が完了した場合には、前記第２の記録領域に記録した映像及び／又は音声データを前記第１の情報記録媒体に転送することを特徴とする情報記録装置。
【発明の詳細な説明】
【技術分野】
【０００１】
本発明は、映像、音声等のデータを記録可能な情報記録装置に関する。
【背景技術】
【０００２】
近年、ＤＶＤ（Digital Versatile Disc）等の着脱可能な情報記録媒体に、リアルタイムに提供される放送信号等のデータを記録させるための情報記録装置において、大容量のＨＤＤ（Hard  Disk  Drive）を内蔵し、ＤＶＤ及びハードディスクの何れにも、データを記録することができる装置が普及している。
【０００３】
当該情報記録装置には、例えば、ユーザが放送番組のリアルタイム記録・再生中に席を離れた場合であっても、席を離れている間分の放送信号を内蔵した記録媒体に記録させ、後に再生することで、放送番組を中断せずに鑑賞することができる装置がある（特許文献１）。
【０００４】
また、例えば、ＤＶＤ等の情報記録媒体が初期化等の記録準備が完了していない状態で、当該ＤＶＤに対する記録が指示されると、ＤＶＤの代わりにハードディスクにデータを一旦記録させ、後にハードディスクに記録したデータをＤＶＤに転送させることで、ＤＶＤに対する初期化等の記録準備が完了していない状態であっても、ＤＶＤに対する記録を行うことができる情報記録装置が開示されている（特許文献２及び特許文献３参照）。
【特許文献１】特開２００２−１７０３２４号公報
【特許文献２】特開２００４−３６４３２８号公報
【特許文献３】特登３６３７２７５号公報
【発明の開示】
【発明が解決しようとする課題】
【０００５】
しかしながら、特許文献１〜３に開示された情報記録装置によれば、内蔵したハードディスクに記録可能な空き領域が無い場合には、予約した放送番組のデータを記録することができない。
【０００６】
本発明の課題は、情報記録媒体の記録準備が完了していない場合であっても、より確実に情報記録媒体にデータを記録させることができる情報記録装置を提供することである。
【課題を解決するための手段】
【０００７】
上記課題を解決するため、請求項１に記載の発明は、着脱可能な第１の情報記録媒体と、装置本体に内蔵された第２の情報記録媒体と、に対して映像及び／又は音声データを記録可能な情報記録装置において、
前記第１の情報記録媒体又は前記第２の情報記録媒体に対する映像及び／又は音声データの記録を予約する予約手段と、
前記予約手段により前記第１の情報記録媒体による記録が予約された記録開始所定時間前に、前記第１の情報記録媒体において記録の準備が完了しているか否かを検出する検出手段と、
前記検出手段により、前記第１の情報記録媒体において記録の準備が完了していないと検出された場合に、前記第１の情報記録媒体における記録の準備を行う記録準備手段と、
前記検出手段により、前記第１の情報記録媒体において記録の準備が完了していないと検出された場合に、映像及び／又は音声データを前記第２の情報記録媒体に記録させる制御を行う記録代替制御手段と、を備え、
前記第２の情報記録媒体は、第１の記録領域と、前記第１の情報記録媒体に対する記録の指示に基づいて、前記第１の情報記録媒体における記録の準備が完了していない場合にのみ記録が行われる第２の記録領域と、を備え、
前記記録代替制御手段は、
前記第１の記録領域において前記予約手段により予約された映像及び／又は音声データを記録するための空き容量があるか否かを検出する空き容量検出手段を備え、
前記記録代替制御手段は、
前記空き容量検出手段により、前記第１の記録領域において前記予約手段により予約された映像及び／又は音声データを記録する空き容量があると検出された場合に、前記第１の記録領域に対して前記予約手段により予約された映像及び／又は音声データの記録を行い、前記空き容量検出手段により、前記第１の記録領域において前記予約手段により予約された映像及び／又は音声データを記録するための空き容量が無いと検出された場合に、前記第２の記録領域に対して映像及び／又は音声データの記録を行い、前記記録準備手段により前記第１の情報記録媒体における記録の準備が完了した場合には、前記第２の記録領域に記録した映像及び／又は音声データを前記第１の情報記録媒体に転送することを特徴とする。
【０００８】
請求項２に記載の発明は、着脱可能な第１の情報記録媒体と、装置本体に内蔵された第２の情報記録媒体と、に対して映像及び／又は音声データを記録可能な情報記録装置において、
前記第１の情報記録媒体又は前記第２の情報記録媒体に対する映像及び／又は音声データの記録を予約する予約手段と、
前記予約手段により前記第１の情報記録媒体による記録が予約された記録開始所定時間前に、前記第１の情報記録媒体において記録の準備が完了しているか否かを検出する検出手段と、
前記検出手段により、前記第１の情報記録媒体において記録の準備が完了していないと検出された場合に、前記第１の情報記録媒体における記録の準備を行う記録準備手段と、
前記検出手段により、前記第１の情報記録媒体において記録の準備が完了していないと検出された場合に、映像及び／又は音声データを前記第２の情報記録媒体に記録させる制御を行う記録代替制御手段と、を備え、
前記第２の情報記録媒体は、
第１の記録領域と、前記第１の情報記録媒体に対する記録の指示に基づいて、前記第１の情報記録媒体における記録の準備が完了していない場合にのみ記録が行われる第２の記録領域と、を備え、
記録代替制御手段は、前記第１の情報記録媒体に対する映像及び／又は音声データの記録開始時に、前記第１の情報記録媒体における記録の準備が完了していない場合に、前記第２の記録領域に対して映像及び／又は音声データの記録を行い、前記記録準備手段により前記第１の情報記録媒体における記録の準備が完了した場合には、前記第２の記録領域に記録した映像及び／又は音声データを前記第１の情報記録媒体に転送することを特徴とする。
【発明の効果】
【０００９】
請求項１に記載の発明によれば、情報記録装置において、第１の情報記録媒体と、第１の記録領域及び第１の情報記録媒体に対する記録の指示に基づいて、第１の情報記録媒体における記録の準備が完了していない場合にのみ記録が行われる第２の記録領域を備える第２の情報記録媒体と、を備え、検出手段により第１の情報記録媒体において記録の準備が完了していないと検出された場合には、記録代替制御手段による制御により、空き容量検出手段により、第１の記録領域において予約手段により予約された映像及び／又は音声データを記録する空き容量があると検出された場合に、第１の記録領域に対して映像及び／又は音声データの記録が行われるので、例えば、第１の情報記録媒体に何らかの不具合があっても、予約された映像及び／又は音声データを確実に記録できる。また、空き容量検出手段により、第１の記録領域において予約手段により予約された映像及び／又は音声データを記録する空き容量が無いと検出された場合に、第２の記録領域に対して映像及び／又は音声データの記録が行われ、記録準備手段により第１の情報記録媒体における記録の準備が完了した場合には、第２の記録領域に記録した映像及び／又は音声データが第１の情報記録媒体に転送されるので、第１の情報記録媒体の記録準備が完了していない場合であっても、第２の情報記録媒体における第２の記録領域が確保されているため、第２の記録領域に対する記録は常に可能となって、より確実に情報記録媒体にデータを記録することができる。
【００１０】
請求項２に記載の発明によれば、情報記録装置において、第１の情報記録媒体と、第１の記録領域及び第１の情報記録媒体に対する記録の指示に基づいて、第１の情報記録媒体における記録の準備が完了していない場合にのみ記録が行われる第２の記録領域を備える第２の情報記録媒体と、を備え、検出手段により第１の情報記録媒体において記録の準備が完了していないと検出された場合に、記録代替制御手段による制御により、第２の記録領域に対して映像及び／又は音声データの記録が行われるので、第１の情報記録媒体の記録準備が完了していない場合であっても、第２の情報記録媒体における第２の記録領域が確保されているため、第２の記録領域に対する記録は常に可能となって、より確実に情報記録媒体にデータを記録することができる。
【発明を実施するための最良の形態】
【００１１】
以下、図面を参照しながら、本発明の実施の形態を詳細に説明する。
なお、本実施の形態では、情報記録装置として、ＤＶＤ（Digital Versatile Disc）及びハードディスクに対してデータの記録を行うＨＤＤ（Hard  Disk  Drive）内蔵ＤＶＤレコーダを例に説明する。しかし、情報記録装置はこれに限られることなく、例えば、ＤＶＤ以外の光ディスク、ハードディスク以外の磁気ディスク、光磁気ディスク、磁気テープ或いは半導体メモリ等の他の情報記録媒体に記録を行う情報記録装置であっても良い。
【００１２】
まず、図１を参照しながら、装置全体の構成及び要部構成について説明する。
本実施形態のＨＤＤ内蔵ＤＶＤレコーダ１００は、例えば、テレビジョン放送信号（以下、放送信号という。）を受信し、受信した放送信号を、着脱可能な第１の情報記録媒体としてのＤＶＤ８１及び機器本体１に内蔵された第２の情報記録媒体としてのハードディスク９１にデータを記録するとともに、ＤＶＤ８１及びハードディスク９１に記録されたデータの再生を行う機器本体（装置本体）１と、ユーザが各種指示を遠隔操作によって入力するためのリモートコントロール装置（以下、リモコンという。）２と、を備えて構成されている。
【００１３】
当該ＨＤＤ内蔵ＤＶＤレコーダ１００は、記録モード、再生モード、ダビングモード等の複数のモードを有しており、ユーザによるリモコン２の操作により設定されたモードに基づいて、それぞれのモードに応じた処理が実行されることとなる。
ここで、記録モードとは、放送信号を受信し、当該放送信号である映像／音声データを、ユーザの指示に基づいて、ハードディスク９１或いはＤＶＤ８１に記録する録画処理が実行されるモードのことである。
また、再生モードとは、ユーザの指示に基づいて、ハードディスク９１又はＤＶＤ８１に記録された映像／音声データを再生して、外部入力端子（図示省略）を介してＨＤＤ内蔵ＤＶＤレコーダ１００に接続されたテレビジョン受像機２００等の外部機器に出力させる再生処理が実行されるモードのことである。
さらに、ダビングモードとは、ユーザの指示に基づいて、一方の情報記録媒体（すなわち、ＤＶＤ８１／ハードディスク９１）に記録された映像／音声データを、もう一方の情報記録媒体（すなわち、ハードディスク９１／ＤＶＤ８１）へ転送させるダビング処理が実行されるモードのことである。ＤＶＤ８１又はハードディスク９１に記録された映像／音声データは、当該ダビング処理により、読み出されて複合され、更に、もう一方の情報記録媒体に記録可能な形式に再度符号化されて、記録されることとなる。
また、本ＨＤＤ内蔵ＤＶＤレコーダ１００は、放送番組の記録を予約する機能も有しており、放送番組の記録が予約（以下、録画予約という。）されると、記録モードにおいて、予約された放送番組（以下、予約番組という。）の録画処理が行われることとなる。
【００１４】
次に、ＨＤＤ内蔵ＤＶＤレコーダ１００の要部構成について説明する。
機器本体１は、放送信号を受信するアンテナ３と、アンテナ３により受信された放送信号から所定の放送チャンネルの放送信号を選局するチューナ４と、チューナ４から出力された映像／音声データに所定の信号処理を行う入力インターフェース部５と、入力インターフェース部５から出力された映像／音声データに圧縮処理を行うエンコーダ６と、映像／音声データの入出力経路を設定する切換部７と、着脱自在なＤＶＤ８１に対して映像／音声データの記録及び再生を行うＤＶＤドライブ部８と、機器本体１に内蔵されたハードディスク９１に対して映像／音声データの記録及び再生を行うＨＤＤ部９と、ＤＶＤドライブ部８及びＨＤＤ部９から出力された映像／音声データに伸張処理を行うデコーダ１０と、デコーダ１０から出力された映像／音声データに対して所定の信号処理を行う出力インターフェース部１１と、映像データにＯＳＤデータを付加するＯＳＤ（On-Screen Character Display）回路１２と、リモコン２からの入力操作信号を受信するとともに、当該入力操作信号を制御部１４に出力するリモコン信号受光部１３と、機器本体１全体を統括制御する制御部１４と、各部を接続する制御バス１５と、を備えて構成されている。
【００１５】
アンテナ３は、屋外において所定の方向に向けて配置されており、記録モードにおいて、図示しないテレビジョン放送局から発信される高周波の放送信号（RF信号）を受信して、当該放送信号をチューナ４に出力する。
【００１６】
チューナ４は、例えば、図示は省略するが、高周波増幅回路と、局部発振回路及び混合回路から成る周波数変換回路と、を備えて構成されている。チューナ４は、記録モードにおいて、アンテナ３によって受信された放送信号と、局部発振回路から出力される局部発振信号とを混合回路により混合し、当該放送信号の周波数を選局するための制御部１４からの制御信号に応じて、特定周波数帯の放送信号を受信する。そして当該受信した放送信号を所定の中間周波数を有するＩＦ（中間周波：Intermediate Frequency）信号に変換して、入力インターフェース部５に出力する。
【００１７】
入力インターフェース部５は、例えば、チューナ４から出力されたＩＦ信号に対してＡ／Ｄ変換、誤り訂正等の各種入力インターフェース処理を施し、所定の映像／音声データに変換してエンコーダ６に出力する。
【００１８】
エンコーダ６は、例えば、記録モードにおいて、入力インターフェース部５又はＨＤＤ部９から出力された映像データを、ＭＰＥＧ（Moving Picture Experts Group）方式に従って圧縮するとともに、音声データをＭＰＥＧオーディオ方式に従って圧縮し、ＤＶＤドライブ部８においてＤＶＤ８１に書き込み可能な所定の映像／音声データ或いはＨＤＤ部９においてハードディスク９１に書き込み可能な所定の映像／音声データに変換する。また、エンコーダ６は、ダビングモード及び記録モードにおける後述する記録代替制御プログラム１４５ｆの実行において、デコーダ１０により一旦伸張された映像／音声データを再び圧縮する処理を行う。
当該エンコーダ６において生成された映像／音声データは、切換部７を介してＤＶＤドライブ部８或いはＨＤＤ部９に出力されることとなる。
【００１９】
切換部７は、例えば、記録モード及びダビングモードにおいて、ＣＰＵ１４２からの指示出力に基づいて、映像／音声データの入出力経路を設定する。例えば、記録モードにおいて、ユーザによりＤＶＤ８１に対する記録の指示がなされた場合には、エンコーダ６から入力された映像／音声データは、当該切換部７によりＤＶＤドライブ部８に出力されることとなり、一方、ハードディスク９１に対する記録の指示がなされた場合には、エンコーダ６から入力された映像／音声データは、当該切換部７によりＨＤＤ部９に出力されることとなる。
【００２０】
ＤＶＤドライブ部８は、例えば、着脱自在なＤＶＤ８１と、ＤＶＤ８１に対するデータの記録及びＤＶＤ８１に記録されたデータの読み出しを行う光ピックアップ８２と、装填されたＤＶＤ８１を回転駆動させるとともに光ピックアップ８２をＤＶＤ８１の半径方向に移動させるための駆動部８３と、等を備えている。
具体的には、ＤＶＤ８１は、ＤＶＤ−Ｒ（DVD-Recordable）等の追記型ディスクや、ＤＶＤ−ＲＷ（DVD-ReWritable）、ＤＶＤ−ＲＡＭ（DVD-Random Access Memory）等の書き換え可能なディスクであり、ディスク基盤（図示省略）と、レーザ光の照射による加熱で結晶構造が変化する物質によって形成された記録層（図示省略）と、レーザ光を反射するための反射層（図示省略）と、等を備えて成る。
当該ＤＶＤドライブ部８では、記録モード及びダビングモードにおいて、光ピックアップ８２により、ＤＶＤ８１の反射層にレーザ光を照射し、反射光による加熱により記録層の結晶構造を変化させてピットを形成することにより、ＤＶＤ８１に対するデータの記録を行う。一方、再生モードにおいて、光ピックアップ８２によりＤＶＤ８１の反射層にレーザ光を照射し、光電変換及び電流電圧変換によって反射光に応じた電圧信号を生成することにより、ＤＶＤ８１に記録されたデータの再生を行う。
【００２１】
ＨＤＤ部９は、例えば、ＡＴＡ（AT Attachment）規格を採用しており、内蔵されたハードディスク９１と、ハードディスク９１に対するデータの記録或いはハードディスク９１に記録されたデータの読み出しを行う磁気ヘッド９２と、ハードディスク９１を回転駆動させるとともに、磁気ヘッド９２をハードディスク９１の半径方向に移動させるための駆動部９３と、等を備えて構成されている。ハードディスク９１は、非磁性体のディスク基板（図示省略）と、その上に設けられた磁性層（図示省略）と、を備えて成り、磁気ヘッド９２とハードディスク９１との間に、電流を供給することにより磁界を発生する微小なギャップを有している。
当該ＨＤＤ部９では、記録モード及びダビングモードにおいて、磁気ヘッド９２をハードディスク９１の表面に限りなく接触させて相対速度を与え、磁気ヘッド９２に与えられた電流により発生する磁場により、ハードディスク９１に対するデータの記録を行う。一方、再生モード及び記録モードにおける後述する記録代替制御プログラム１４５ｆの実行において、磁気ヘッド９２とハードディスク９１の間で相対速度を与えることによってハードディスク９１から発生する磁束の変化により、ハードディスク９１に記録されたデータの再生を行う。
【００２２】
ＨＤＤ部９の構成について、さらに詳しく説明する。
図２は、ハードディスク９１の記録領域の構成を例示する図である。
ハードディスク９１は、図２に示すように、第１の記録領域Ｄ１及び第２の記録領域Ｄ２を備えている。
第１の記録領域Ｄ１は、図示は省略するが、システム管理領域と、タイムシフト領域と、記録ファイル領域と、を備えており、さらに、記録ファイル領域は、ヘッダ領域及びコンテンツ領域を含む構成となっている。ヘッダ領域には、放送番組等のタイトル、録画時間等のデータが格納され、記録モード、再生モード及びダビングモードにおいて記録が行われる映像／音声データ等のコンテンツデータは、コンテンツ領域に格納される。当該第１の記録領域Ｄ１は、記録モードにおけるハードディスク９１に対する記録の指示に基づいて、映像／音声データの記録が行われるとともに、後述する記録代替制御プログラム１４５ｆの実行に際して、空き容量検出プログラム１４５ｅの実行により当該第１の記録領域Ｄ１に、後述する予約プログラム１４５ａの実行により予約された予約番組の録画に必要な空き容量があると判断された場合に、ＤＶＤ８１の代わりとして一時的に映像／音声データの記録が行われる領域である。
第２の記録領域Ｄ２は、後述する記録代替制御プログラム１４５ｆの実行に際して、空き容量検出プログラム１４５ｅの実行により第１の記録領域Ｄ１に、後述する予約プログラム１４５ａの実行により予約された予約番組の録画に必要な空き容量が無いと判断された場合に、ＤＶＤ８１の代わりとして一時的に記録が行われる領域であり、少なくともＤＶＤ８１における記録の準備に要する時間分、及び、第２の記録領域Ｄ２に一時的に記録されたデータをＤＶＤ８１へ転送する処理に要する時間分の容量を有している。すなわち、当該第２の記録領域Ｄ２は、ハードディスク９１に対する記録の指示に基づいてハードディスク９１に対する記録が行われる場合であっても、記録の対象とはならないため、ＤＶＤ８１における記録の準備が行われる間に記録可能な容量が、当該第２の記録領域Ｄ２において常に確保されていることとなる。
ここで、記録の準備とは、例えば、ＤＶＤ８１の装填等といったＤＶＤ８１に対してデータの記録を開始するために必要な動作・処理を指すが、本実施の形態においては、例えば、ＤＶＤ８１のフォーマット処理を例に説明する。
【００２３】
デコーダ１０は、例えば、再生モードにおいて、ＨＤＤ部９又はＤＶＤドライブ部８から切換部７を介して出力された映像データを、ＭＰＥＧ方式に従って伸張するとともに、音声データをＭＰＥＧオーディオ方式に従って伸張し、所定の映像／音声データに変換する。また、デコーダ１０は、ダビングモード及び記録モードにおける後述する記録代替制御プログラム１４５ｆの実行において、ＨＤＤ部９又はＤＶＤドライブ部８から切換部７を介して出力された映像／音声データを、一旦伸張し、所定の映像／音声データに変換する処理を行う。
当該デコーダ１０において生成された映像／音声データは、再生モードにおいて出力インターフェース部１１に出力され、ダビングモード及び記録モードにおける記録代替制御プログラム１４５ｆの実行においてエンコーダ６に出力されることとなる。
【００２４】
出力インターフェース部１１は、例えば、再生モードにおいて、デコーダ１０から出力された映像／音声データにＤ／Ａ変換等の各種出力インターフェース処理を施し、ＮＴＳＣ規格等の映像／音声データを生成する。生成された映像／音声データは、機器本体１に接続されたテレビジョン受像機２００の図示しないディスプレイ、スピーカ等に出力されることとなる。
【００２５】
ＯＳＤ回路１２は、再生モードにおいて、各種信号処理が行われて生成された映像データに対して、ＲＯＭ１４５に格納された図示しないＯＳＤデータを合成する処理を行う。
【００２６】
リモコン信号受光部１３は、リモコン２に備わる各種キーがユーザにより押下操作されることにより出力された赤外線等の入力操作信号を受信し、増幅、検波、誤り訂正等の処理を施して、当該入力操作信号を制御部１４に出力する。
【００２７】
制御部１４は、Ｉ／Ｏポート１４１と、ＣＰＵ（Central Processing Unit）１４２と、計時部１４３と、メモリ部１４４と、ＲＯＭ（Read Only Memory）１４５と、等を備えて構成されている。
【００２８】
ＣＰＵ１４２は、機器本体１の各部からＩ／Ｏポート１４１を介して入力された入力信号及びリモコン２の各種キーの押下操作によってリモコン信号受光部１３及びＩ／Ｏポート１４１を介して入力された入力操作信号等に応じて、ＲＯＭ１４５に格納された各種プログラムを実行するとともに、Ｉ／Ｏポート１４１を介して各部に出力信号を出力することによって、機器本体１の動作全般を統括制御する。
【００２９】
計時部１４３は、例えば、現在時刻を計時しており、ＣＰＵ１４２からの指示出力に応じて、計時した現在時刻データをＣＰＵ１４２に出力する。
【００３０】
メモリ部１４４は、図示しないＲＡＭ（Random Access Memory）を備え、ＣＰＵ１４２によって各種プログラムが実行される際に生じる処理結果や、入力されたデータ等を当該ＲＡＭに記憶する。また、メモリ部１４４は、後述する予約プログラム１４５ａの実行により、ユーザにより入力された録画予約のためのデータが格納される予約テーブル１４４ａを備えており、当該予約テーブル１４４ａに、予約番組の放送日、録画開始時刻、録画終了時刻、放送チャンネル、放送番組名、放送形態、記録を行う情報記録媒体（すなわち、ＤＶＤ８１又はハードディスク９１）等のデータを格納している。
【００３１】
ＲＯＭ１４５は、例えば、予約プログラム１４５ａと、検出プログラム１４５ｂと、記録準備プログラム１４５ｃと、記録制御プログラム１４５ｄと、空き容量検出プログラム１４５ｅと、記録代替制御プログラム１４５ｆと、等の各種プログラムを備えて構成されている。
【００３２】
予約プログラム１４５ａは、例えば、ＣＰＵ１４２に、ＤＶＤ８１又はハードディスク９１に対する放送番組の録画予約を設定させる機能を実現させるプログラムである。
具体的には、ユーザは、リモコン２の操作により、予約番組の放送日、録画開始時刻、録画終了時刻、放送チャンネル、放送番組名、放送形態、記録を行う情報記録媒体等の録画予約のためのデータを入力すると、当該データが予約テーブル１４４ａに格納される。そして、予約テーブル１４４ａに格納されたデータに基づいて、ＣＰＵ１４２により記録制御プログラム１４５ｄ、記録代替制御プログラム１４５ｆ等が実行されることとなる。
ＣＰＵ１４２は、かかる予約プログラム１４５ａを実行することにより予約手段として機能する。
【００３３】
検出プログラム１４５ｂは、例えば、ＣＰＵ１４２に、予約プログラム１４５ａの実行により予約された録画開始所定時間前（記録開始所定時間前）に、ＤＶＤ８１がフォーマット済みか否かを検出させる機能を実現させるプログラムである。
具体的には、ＣＰＵ１４２は、予約プログラム１４５ａの実行によりメモリ部１４４の予約テーブル１４４ａに格納されたＤＶＤ８１に対する録画予約の録画開始所定時間前（例えば、１分前）に、ＤＶＤドライブ部８に装填されたＤＶＤ８１のフォーマットデータを書き込む領域に、フォーマットデータが書き込まれているか否かを検出する。
ＣＰＵ１４２は、かかる検出プログラム１４５ｂを実行することにより、検出手段として機能する。
【００３４】
記録準備プログラム１４５ｃは、例えば、ＣＰＵ１４２に、検出プログラム１４５ｂの実行により、ＤＶＤ８１において未だフォーマットがされていないと検出されたときに、ＤＶＤ８１に対してフォーマット処理を実行させる機能を実現させるプログラムである。
具体的には、ＣＰＵ１４２は、フォーマットデータが未記録の情報記録媒体にイニシャライズと呼ばれるフォーマットデータの記録を行った後に、所定のパターンのデータを記録させる処理を行う。
ＣＰＵ１４２は、かかる記録準備プログラム１４５ｃを実行することにより、記録準備手段として機能する。
【００３５】
記録制御プログラム１４５ｄは、例えば、ＣＰＵ１４２に、検出プログラム１４５ｂの実行により、ＤＶＤ８１がフォーマット済みと検出されたときに、予約プログラム１４５ａの実行により予約番組の録画開始時刻から録画終了時刻において、ＤＶＤ８１に対して録画を実行させる機能を実現させるプログラムである。
具体的には、ＣＰＵ１４２は、アンテナ３により受信した映像／音声データに対して、チューナ４、入力インターフェース部５、エンコーダ６等により信号処理を施し、ユーザのリモコン２の操作によりリモコン信号受光部１３を介して出力されたＤＶＤ８１或いはハードディスク９１への記録の指示に応じて、切換部７において入出力経路をＤＶＤドライブ部８又はＨＤＤ部９に設定し、ＤＶＤドライブ部８或いはＨＤＤ部９において、ＤＶＤ８１又はハードディスク９１に映像／音声データの記録を実行する。
【００３６】
空き容量検出プログラム１４５ｅは、例えば、ＣＰＵ１４２に、検出プログラム１４５ｂの実行により、ＤＶＤ８１が未だフォーマットされていないと検出された場合に、ハードディスク９１の第１の記録領域Ｄ１において予約テーブル１４４ａに格納された予約番組の録画に必要な空き容量があるか否かを検出させる機能を実現させるプログラムである。
ＣＰＵ１４２は、かかる空き容量検出プログラム１４５ｅを実行することにより、空き容量検出手段として機能する。
【００３７】
記録代替制御プログラム１４５ｆは、例えば、ＣＰＵ１４２に、検出プログラム１４５ｂの実行により、ＤＶＤ８１が未だフォーマットされていないと検出され、更に、空き容量検出プログラム１４５ｅの実行により、ハードディスク９１の第１の記録領域Ｄ１において予約テーブル１４４ａに格納された予約番組の録画に必要な空き容量があると検出された場合に、ハードディスク９１の第１の記録領域Ｄ１に対して映像／音声データの記録を行う機能を実現させ、又は、空き容量検出プログラム１４５ｅの実行により、ハードディスク９１の第１の記録領域Ｄ１において予約テーブル１４４ａに格納された予約番組の録画に必要な空き容量が無いと検出された場合に、ハードディスク９１の第２の記録領域Ｄ２に対して映像／音声データの記録を行う機能を実現させるプログラムである。
具体的には、ＣＰＵ１４２は、検出プログラム１４５ｂの実行により、ＤＶＤ８１が未だフォーマットされていないと検出され、更に、空き容量検出プログラム１４５ｅの実行により、ハードディスク９１の第１の記録領域Ｄ１において予約テーブル１４４ａに格納された予約番組の録画に必要な空き容量があると検出された場合に、予約番組を、ハードディスク９１の第１の記録領域Ｄ１に対して記録させる。そして、予約番組の記録が終了すると、ハードディスク９１の第１の記録領域Ｄ１に記録させた映像／音声データを、前述したダビングモードにおけるダビング処理と同様の処理により、ＤＶＤ８１に転送させる。
また、ＣＰＵ１４２は、検出プログラム１４５ｂの実行により、ＤＶＤ８１が未だフォーマットされていないと検出され、更に、空き容量検出プログラム１４５ｅの実行により、ハードディスク９１の第１の記録領域Ｄ１において予約テーブル１４４ａに格納された予約番組の録画に必要な空き容量が無いと検出された場合に、予約番組の録画開始時刻から、記録準備プログラム１４５ｃの実行によるＤＶＤ８１におけるフォーマット処理によってＤＶＤ８１が記録可能な状態となるまでの間、予約番組をハードディスク９１の第２の記録領域Ｄ２に対して記録させる。そして、記録準備プログラム１４５ｃの実行によりＤＶＤ８１のフォーマット処理が完了すると、ハードディスク９１の第２の記録領域Ｄ２に対する記録を続行させるとともに、ハードディスク９１の第２の記録領域Ｄ２に記録された映像／音声データをＤＶＤ８１に転送させる処理を行い、第２の記録領域Ｄ２に記録させた映像／音声データの転送が完了したタイミングで、フォーマットされたＤＶＤ８１に対する記録に切り替え、ハードディスク９１の第２の記録領域Ｄ２に対する記録を停止する。
ＣＰＵ１４２は、かかる記録代替制御プログラム１４５ｆ及び前述した空き容量検出プログラム１４５ｅを実行することにより、記録代替制御手段として機能する。
【００３８】
次に、ＣＰＵ１４２による代替記録処理について、図３を用いて説明する。
本代替記録処理は、ＣＰＵ１４２が、検出プログラム１４５ｂ、記録準備プログラム１４５ｃ、記録制御プログラム１４５ｄ、空き容量検出プログラム１４５ｅ、記録代替制御プログラム１４５ｆ、を実行することにより行われる。
【００３９】
まず、ＣＰＵ１４２は、予約テーブル１４４ａに格納された予約番組の録画開始時刻データと、計時部１４３により取得される現在時刻データとに基づいて、録画開始時刻が到来したか否かを判断する（ステップＳ１）。ステップＳ１において、ＣＰＵ１４２は、計時部１４３により取得された現在時刻データにより、予約プログラム１４５ａの実行により予約され、予約テーブル１４４ａに格納された予約番組の録画開始時刻が到来したと判断すると（ステップＳ１；Ｙｅｓ）、ＤＶＤドライブ部８に装填されたディスクがＤＶＤ−Ｒであるか否かを判断する（ステップＳ２）。ＣＰＵ１４２は、ステップＳ２において、ディスクがＤＶＤ−Ｒであると判断すると（ステップＳ２；Ｙｅｓ）、ステップＳ７に進む。
一方、ＣＰＵ１４２は、ステップＳ２において、ディスクがＤＶＤ−Ｒでないと判断すると（ステップＳ２；Ｎｏ）、ディスクが書き換え可能なＤＶＤ８１であるか否かを判断する（ステップＳ３）。ＣＰＵ１４２は、ステップＳ３において、ディスクが書き換え可能なＤＶＤ８１でないと判断すると（ステップＳ３；Ｎｏ）、ハードディスク９１の第１の記録領域Ｄ１に予約テーブル１４４ａに格納された予約番組の録画に必要な空き容量があるか否かを判断する（ステップＳ４）。ＣＰＵ１４２は、ステップＳ４において、ハードディスク９１の第１の記録領域Ｄ１に予約テーブル１４４ａに格納された予約番組の録画に必要な空き容量があると判断すると（ステップＳ４；Ｙｅｓ）、ハードディスク９１の第１の記録領域Ｄ１に対して予約番組の記録を実行して（ステップＳ５）、本処理を終了する。一方、ＣＰＵ１４２は、ステップＳ４において、ハードディスク９１の第１の記録領域Ｄ１に予約テーブル１４４ａに格納された予約番組の録画に必要な空き容量が無いと判断すると（ステップＳ４；Ｎｏ）、本処理を終了する。
【００４０】
一方、ステップＳ３において、ＣＰＵ１４２は、ディスクが書き換え可能なＤＶＤ８１であると判断すると（ステップＳ３；Ｙｅｓ）、次に、ＤＶＤ８１がフォーマットされているか否かを検出する（ステップＳ６）。ＣＰＵ１４２は、ステップＳ６において、ＤＶＤ８１がフォーマット済みであると判断すると（ステップＳ６；Ｙｅｓ）、ＤＶＤ８１に対して予約番組の記録を実行して（ステップＳ７）、本処理を終了する。
一方、ＣＰＵ１４２は、ステップＳ６において、ＤＶＤ８１が未だフォーマットされていないと判断すると（ステップＳ６；Ｎｏ）、ＤＶＤ８１に対するフォーマット処理を開始し（ステップＳ８）、ハードディスク９１の第１の記録領域Ｄ１に予約テーブル１４４ａに格納された予約番組の録画に必要な空き容量があるか否かを判断する（ステップＳ９）。ＣＰＵ１４２は、ステップＳ９において、ハードディスク９１の第１の記録領域Ｄ１に予約テーブル１４４ａに格納された予約番組の録画に必要な空き容量があると判断すると（ステップＳ９；Ｙｅｓ）、ステップＳ１０においてハードディスク９１の第１の記録領域Ｄ１に対して予約番組の記録を実行して、予約番組の録画終了時刻であるか否かを判断する（ステップＳ１１）。ＣＰＵ１４２は、ステップＳ１１において、録画終了時刻であると判断すると（ステップＳ１１；Ｙｅｓ）、ハードディスク９１の第１の記録領域Ｄ１に対する記録を終了し、ハードディスク９１の第２の記録領域Ｄ２に記録させたデータをＤＶＤ８１に転送する処理を行い（ステップＳ１２）、本処理を終了する。
【００４１】
一方、ステップＳ９において、ＣＰＵ１４２は、ハードディスク９１の第１の記録領域Ｄ１に予約テーブル１４４ａに格納された予約番組の録画に必要な空き容量が無いと判断すると（ステップＳ９；Ｎｏ）、ハードディスク９１の第２の記録領域Ｄ２に対して、予約番組の記録を開始する（ステップＳ１３）。次に、ＣＰＵ１４２は、ＤＶＤ８１においてフォーマット処理が終了したことを検出すると（ステップＳ１４）、ハードディスク９１の第２の記録領域Ｄ２に対する予約番組の記録を続行するとともに、ハードディスク９１の第２の記録領域Ｄ２に記録された音声／映像データをＤＶＤ８１に転送させる処理を行う（ステップＳ１５）。ＣＰＵ１４２は、ＤＶＤ８１への、ハードディスク９１の第２の記録領域Ｄ２に記録された音声／映像データの転送が完了すると、ＤＶＤ８１に対する記録に切り替え、ＤＶＤに対して予約番組の記録を開始し、ハードディスク９１の第２の記録領域Ｄ２に対する記録を停止する（ステップＳ１６）。次に、ＣＰＵ１４２は、予約番組の録画終了時刻であるか否かを判断し（ステップＳ１７）、録画終了時刻であると判断すると（ステップＳ１７；Ｙｅｓ）、ＤＶＤ８１に対する記録を終了して、本処理を終了する。
【００４２】
以上説明した本発明にかかるＨＤＤ内蔵ＤＶＤレコーダ１００によれば、ＤＶＤ８１と、第１の記録領域Ｄ１及びＤＶＤ８１に対する記録の指示に基づいて、ＤＶＤ８１における記録の準備が完了していない場合にのみ記録が行われる第２の記録領域Ｄ２を備えるハードディスク９１と、を備え、ＣＰＵ１４２による検出プログラム１４５ｂの実行によりＤＶＤ８１において記録の準備が完了していないと検出された場合には、記録代替制御プログラム１４５ｆによる制御により、空き容量検出プログラム１４５ｅの実行により、第１の記録領域Ｄ１において、予約テーブル１４４ａに格納された予約番組の録画に必要な空き容量があると検出された場合に、第１の記録領域Ｄ１に対して映像及び／又は音声データの記録が行われるので、例えば、ＤＶＤ８１に何らかの不具合があっても、予約された映像及び／又は音声データを確実に記録できる。また、空き容量検出プログラム１４５ｅの実行により、第１の記録領域Ｄ１において、予約テーブル１４４ａに格納された予約番組の録画に必要な空き容量が無いと検出された場合に、第２の記録領域Ｄ２に対して映像及び／又は音声データの記録が行われるので、第２の記録領域Ｄ２に対する記録は常に可能となって、ＤＶＤ８１の記録準備が完了していない場合であって、さらに、ハードディスク９１における第１の記録領域Ｄ１に十分な空き容量が無い場合であっても、より確実に情報記録媒体にデータを記録することができる。
【００４３】
なお、本発明は、上記実施の形態に限定されることなく、本発明の趣旨を逸脱しない範囲において、種々の改良並びに設計の変更を行っても良い。
例えば、予約がなされた放送番組の記録に際して記録代替制御プログラム１４５ｆが実行される例を用いて説明したが、予約がなされていない場合においても記録代替制御プログラム１４５ｆが実行される設計であっても良い。
また、例えば、本発明は、２つの情報記録媒体に記録可能な情報記録装置について説明したが、３つ以上の情報記録媒体に記録可能な情報記録装置であっても良い。
また、例えば、記録代替制御プログラム１４５ｆの実行により、ハードディスク９１の第１の記録領域Ｄ１に記録が行われる場合、ＤＶＤ８１に対するフォーマット処理が行われている間にのみ第１の記録領域Ｄ１に対する記録が行われる設計であっても良く、また、ＤＶＤ８１のフォーマット処理は、ハードディスク９１に対する記録が終了した後に実行される設計であっても良い。
また、例えば、ＤＶＤ８１のフォーマット処理が完了すると、ハードディスク９１の第２の記録領域Ｄ２に対する記録を続行させるとともに、ハードディスク９１の第２の記録領域Ｄ２に記録された映像／音声データをＤＶＤ８１に転送させ、第２の記録領域Ｄ２に記録させた映像／音声データの転送が完了したタイミングでＤＶＤ８１に対する記録に切り替える設計としたが、ハードディスク９１をバッファとして使用し、ハードディスク９１に対する記録を続行させて、記録したデータを逐次ＤＶＤ８１に転送させる設計であっても良い。
【図面の簡単な説明】
【００４４】
【図１】本発明にかかるＨＤＤ内蔵ＤＶＤレコーダの全体構成及び要部構成を示すブロック図である。
【図２】ハードディスクの記録領域の構成を例示する図である。
【図３】ＣＰＵによって実行される代替記録処理を示すフローチャートである。
【符号の説明】
【００４５】
１００    ＨＤＤ内蔵ＤＶＤレコーダ（情報記録装置）
１        機器本体（装置本体）
８１      ＤＶＤ（第１の記録媒体）
９１      ハードディスク（第２の記録媒体）
１４２    ＣＰＵ（予約手段、検出手段、記録準備手段、空き容量検出手段、記録代替制御手段）
１４５ａ  予約プログラム（予約手段）
１４５ｂ  検出プログラム（検出手段）
１４５ｃ  記録準備プログラム（記録準備手段）
１４５ｅ  空き容量検出プログラム（空き容量検出手段）
１４５ｆ  記録代替制御プログラム（記録代替制御手段）
【図１】
2007133965.tif 000003
【図２】
2007133965.tif 000004
【図３】
2007133965.tif 000005